(57)【要約】【課題】材料コスト及び組立てにかかる時間を減らし、経済性に優れたベッドに組立てることが可能な椅子・机構造を提供する。【解決手段】ベッドに組立てることが可能な椅子・机構造はシート１０及び机２０を備える。机２０は２組の側面ベッド脚部２１間に設けられた前後２つの横支持梁２１１を含む。横支持梁２１１には下受板２２が配設される。前後２つの横支持梁２１１の底面には、摺動して外側へ引っ張り出すことが可能な少なくとも２つの可動自在脚部２３が設けられる。下受板２２の可動自在脚部２３が摺動する一側には接続フレーム２４が枢着される。接続フレーム２４の上側縁は可動自在テーブル板２５の一側に枢着され、可動自在テーブル板２５が可動自在に枢着される。２組の側面ベッド脚部２１の上端に配設されて卓面が形成され、下方へ揺動させて可動自在脚部２３とシート１０のシート面１１とに掛け渡して連結される。【選択図】図１
0003193663.tif 000002
【実用新案登録請求の範囲】
【請求項１】
シート及び机を備えるベッドに組立てることが可能な椅子・机構造であって、
前記シートは、その上に座ることが可能なシート面を有し、
前記机は、２組の側面ベッド脚部間に設けられた前後２つの横支持梁を含み、前記横支持梁には、下受板が配設され、前記前後２つの横支持梁の底面には、摺動して外側へ引っ張り出すことが可能な少なくとも２つの可動自在脚部が設けられ、前記下受板の前記可動自在脚部が摺動する一側には、接続フレームが枢着され、前記接続フレームの上側縁は、可動自在テーブル板の一側に枢着され、前記可動自在テーブル板が可動自在に枢着され、前記２組の側面ベッド脚部の上端に配設されて卓面が形成され、下方へ揺動させて前記可動自在脚部と前記シートの前記シート面とに掛け渡して連結され、床面が形成されることを特徴とする、
ベッドに組立てることが可能な椅子・机構造。
【請求項２】
前記シートは、前記シート面上の後ろ側に設けられた背凭れと、両側に設けられたアームレストと、を有し、
前記シート面の前側には、前記可動自在テーブル板を挿置して前記シート面と高さが揃うとともに、前記可動自在テーブル板の厚さと等しい深さを有する収納槽が形成されていることを特徴とする請求項１に記載のベッドに組立てることが可能な椅子・机構造。
【請求項３】
前記２組の側面ベッド脚部の前後２つの横支持梁の底面には、少なくとも２つの摺動ガイドピンが突設され、前記可動自在脚部の上横フレームにおいて対応した形状を有するスライド溝に嵌着され、外方へ摺動して引っ張りだされて結合され、
前記可動自在脚部の前記スライド溝の外端には、可動自在支持杆が枢着されるとともに、前記可動自在脚部の外端が折り曲げられて収納槽の掛止部に掛止されることを特徴とする請求項１に記載のベッドに組立てることが可能な椅子・机構造。
【請求項４】
前記可動自在脚部には、伸縮内フレームを有する伸縮上横フレームが組み合わされ、前記伸縮内フレームの外端には、外方へ引っ張り出す１本の可動自在支持杆が嵌合され、両側に設けた結合片により、前記横支持梁の底側に結合され、前記可動自在脚部の下端には、キャスタが取り付けられ、前記可動自在支持杆の外端が折り曲げられて形成された掛止部が、収納槽に掛止されることを特徴とする請求項１に記載のベッドに組立てることが可能な椅子・机構造。
【請求項５】
前記可動自在脚部の前記上横フレームの前記スライド溝は、前記横支持梁に設けられた前記摺動ガイドピンに対応し、逆Ｔ字状の凹凸断面構造が形成され、
前記摺動ガイドピンの逆Ｔ字状断面構造の両側には、伝動ローラが枢設されていることを特徴とする請求項３に記載のベッドに組立てることが可能な椅子・机構造。
【請求項６】
前記側面ベッド脚部は、外壁に２つの調節孔を有する位置規制スリーブが嵌合される位置規制孔を上端に有し、弾性鋼球を有する位置規制ピンが外壁に嵌合され、昇降自在に結合され、前記位置規制ピンの前記弾性鋼球が上調節孔に位置すると、前記側面ベッド脚部の上端表面から上端が突出され、前記可動自在テーブル板には、前記位置規制ピンに対応する２つの位置規制孔が凹設され、前記可動自在テーブル板が前記２組の側面ベッド脚部に跨って設置されると、凹設された前記位置規制孔に前記位置規制ピンが対応して嵌合され、補助的に固定されることを特徴とする請求項１に記載のベッドに組立てることが可能な椅子・机構造。
【考案の詳細な説明】
【技術分野】
【０００１】
本考案は、ベッドに組立てることが可能な椅子・机構造に関し、特に、少なめの部品により構造を簡素にし、机及び椅子をベッドに容易かつ速やかに変化させ、様々な使用機能を得て、部品の材料コスト及び組立てにかかる時間を減らし経済性に優れた、ベッドに組立てることが可能な椅子・机構造に関する。
【背景技術】
【０００２】
特許文献１で開示されている「テーブルへ変換可能なベッド構造改良」は、１つ以上の床板と、１つ以上のベッド脚部と、ヘッドボードとを含む。
【０００３】
各床板間の所定箇所には、１つ以上のヒンジが取り付けられ、床板端面には、１つ以上の接続部材が配設されている。ベッド脚部は、上述した各床板の底部に配設され、ベッド脚部と各床板との間には、１つ以上のヒンジが配設されている。ヘッドボードの所定の箇所には、１つ以上の枢着部材が配設され、該枢着部材は、上述した床板端面の接続部材上に対応して挿設されている。
【０００４】
上述した特許文献１の構造は、特許文献１の図２に示すように、少なくとも１つのヒンジを有する複数の床板と、少なくとも１つのヒンジを有する複数のベッド脚部と、少なくとも１つの枢着部材を有するヘッドボードとにより複雑な構造が構成される。
この構造により折り畳んでテーブルとして使用したり、ベッドとして使用したりするが、図３〜図１０に示す折畳み操作は、特許文献１の“好適な実施例の詳細な説明“の３段落目において「まず、ヘッドボード３を上方へ抜き出し、枢着部材３１と接続部材１６とを分離させ、大型机を形成する（図４参照）。ユーザは大型机を畳んで小型机を形成するとき、まず、第１のテーブル脚部２２及び第２のテーブル脚部２１を第１の床板１１底部へ向けて畳んで収納し、第１のテーブル脚部２２及び第２のテーブル脚部２１を第１の床板１１の底部に折り畳んだ後、第１の床板１１を第２の床板１２の底部へ向けて折り畳む際、第１の床板１１と第２の床板１２とは、その間に設けられたヒンジ１４により折り畳まれてコ字状に形成されるため、第１の床板１１と第２の床板１２との間には、第１のベッド脚部２２及び第２のベッド脚部を収容する空間が形成され、かつ、第１の床板１１及び第２の床板１２が第１のベッド脚部２２及び第２のベッド脚部２１を押圧することがなく、第１の床板１１及び第２の床板１２が折り曲げられた後、折り曲げられた第１の床板１１及び第２の床板１２が第３の床板１３の頂面に向かって折り曲げられ、第１の床板１１及び第２の床板１２が第１のベッド脚部２２及び第２のベッド脚部とともに折り曲げられて第３の床板１３の頂面に設置され．．．」と記載されているように、操作が面倒で、使用が不便である欠点があった。
【０００５】
また、特許文献１の構造は、図２に示すように複雑で製作が容易でなく、コストが多くかかるため経済性が好ましくないという欠点もあった。
【先行技術文献】
【特許文献】
【０００６】
【特許文献１】台湾実用新案登録第２４０１４１号公報
【考案の概要】
【考案が解決しようとする課題】
【０００７】
そのため、特許文献１のように構造が複雑で操作が不便なため、製造の困難度が高まり、製造コストが多くかかる問題点を改善する技術が求められていた。
【０００８】
そのため、本考案の目的は、簡素な構造に組み立てて、椅子及び机の構造をベッドに容易かつ短時間に変化させ、様々な使用機能を有し、便利に使用することができる、ベッドに組立てることが可能な椅子・机構造を提供することにある。
本考案のもう一つの目的は、少なめの部品により構造を簡素にし、製造及び組立てが簡単で、材料コストを減らして組立てにかかる時間を短縮し、経済性に優れた、ベッドに組立てることが可能な椅子・机構造を提供することにある。
【課題を解決するための手段】
【０００９】
上記課題を解決するために、本考案の第１の形態によれば、シート及び机を備えるベッドに組立てることが可能な椅子・机構造であって、前記シートは、その上に座ることが可能なシート面を有し、前記机は、２組の側面ベッド脚部間に設けられた前後２つの横支持梁を含み、前記横支持梁には、下受板が配設され、前記前後２つの横支持梁の底面には、摺動して外側へ引っ張り出すことが可能な少なくとも２つの可動自在脚部が設けられ、前記下受板の前記可動自在脚部が摺動する一側には、接続フレームが枢着され、前記接続フレームの上側縁は、可動自在テーブル板の一側に枢着され、前記可動自在テーブル板が可動自在に枢着され、前記２組の側面ベッド脚部の上端に配設されて卓面が形成され、下方へ揺動させて前記可動自在脚部と前記シートの前記シート面とに掛け渡して連結され、床面が形成されることを特徴とするベッドに組立てることが可能な椅子・机構造が提供される。
【００１０】
前記シートは、前記シート面上の後ろ側に設けられた背凭れと、両側に設けられたアームレストと、を有し、前記シート面の前側には、前記可動自在テーブル板を挿置して前記シート面と高さが揃うとともに、前記可動自在テーブル板の厚さと等しい深さを有する収納槽が形成されていることが好ましい。
【００１１】
前記２組の側面ベッド脚部の前後２つの横支持梁の底面には、少なくとも２つの摺動ガイドピンが突設され、前記可動自在脚部の上横フレームにおいて対応した形状を有するスライド溝に嵌着され、外方へ摺動して引っ張りだされて結合され、前記可動自在脚部の前記スライド溝の外端には、可動自在支持杆が枢着されるとともに、前記可動自在脚部の外端が折り曲げられて収納槽の掛止部に掛止されることが好ましい。
【００１２】
前記可動自在脚部には、伸縮内フレームを有する伸縮上横フレームが組み合わされ、前記伸縮内フレームの外端には、外方へ引っ張り出す１本の可動自在支持杆が嵌合され、両側に設けた結合片により、前記横支持梁の底側に結合され、前記可動自在脚部の下端には、キャスタが取り付けられ、前記可動自在支持杆の外端が折り曲げられて形成された掛止部が、収納槽に掛止されることが好ましい。
【００１３】
前記可動自在脚部の前記上横フレームの前記スライド溝は、前記横支持梁に設けられた前記摺動ガイドピンに対応し、逆Ｔ字状の凹凸断面構造が形成され、前記摺動ガイドピンの逆Ｔ字状断面構造の両側には、伝動ローラが枢設されていることが好ましい。
【００１４】
前記側面ベッド脚部は、外壁に２つの調節孔を有する位置規制スリーブが嵌合される位置規制孔を上端に有し、弾性鋼球を有する位置規制ピンが外壁に嵌合され、昇降自在に結合され、前記位置規制ピンの前記弾性鋼球が上調節孔に位置すると、前記側面ベッド脚部の上端表面から上端が突出され、前記可動自在テーブル板には、前記位置規制ピンに対応する２つの位置規制孔が凹設され、前記可動自在テーブル板が前記２組の側面ベッド脚部に跨って設置されると、凹設された前記位置規制孔に前記位置規制ピンが対応して嵌合され、補助的に固定されることが好ましい。
【考案の効果】
【００１５】
本考案のベッドに組立てることが可能な椅子・机構造は、少なめの部品からなる簡素な構造に組立てて、椅子及び机を容易かつ短時間に組み合わせてベッドに変化させて、様々な使用機能を得て、材料コスト及び組立てにかかる時間を減らすことができ、経済性に優れている。
【図面の簡単な説明】
【００１６】
【図１】本考案の一実施形態に係るベッドに組立てることが可能な椅子・机構造を示す分解斜視図である。
【図２】本考案の一実施形態に係るベッドに組立てることが可能な椅子・机構造の机を展開するときの説明図（１）である。
【図３】本考案の一実施形態に係るベッドに組立てることが可能な椅子・机構造の机を展開するときの説明図（２）である。
【図４】本考案の一実施形態に係るベッドに組立てることが可能な椅子・机構造の机を展開するときの説明図（３）である。
【図５】本考案の一実施形態に係るベッドに組立てることが可能な椅子・机構造の机と椅子とにより組立てられた２人用のダブルベッドを示す斜視図である。
【図６】本考案の一実施形態に係るベッドに組立てることが可能な椅子・机構造により組立てた２人用ダブルベッド上にマットレスを敷いたときの状態を示す斜視図である。
【図７】本考案の一実施形態に係るベッドに組立てることが可能な椅子・机構造の可動自在ベッド脚部のスライド溝と横支持梁の摺動ガイドピンを示す横断面図（１）である。
【図８】本考案の一実施形態に係るベッドに組立てることが可能な椅子・机構造の可動自在ベッド脚部のスライド溝と横支持梁の摺動ガイドピンを示す横断面図（２）である。
【図９】本考案の一実施形態に係るベッドに組立てることが可能な椅子・机構造の２人用のダブルベッドの椅子と机が設置された状態を示す斜視図である。
【図１０】本考案の一実施形態に係るベッドに組立てることが可能な椅子・机構造の２人用のダブルベッドの椅子と机とが設置された状態と、１人用のシングルベッドの椅子と机とが設置された状態を示す斜視図である。
【図１１】本考案の一実施形態に係るベッドに組立てることが可能な椅子・机構造の可動自在ベッド脚部を示す斜視図である。
【図１２】本考案の一実施形態に係るベッドに組立てることが可能な椅子・机構造の可動自在ベッド脚部の机を展開する説明図である。
【図１３】本考案の一実施形態に係るベッドに組立てることが可能な椅子・机構造の２人用のダブルベッドの椅子と机が設置された状態を示す斜視図である。
【図１４】本考案の一実施形態に係るベッドに組立てることが可能な椅子・机構造の側面のベッド脚部の上端に可動自在机の補助的に固定構造を取り付けるときの状態を示す斜視図である。
【考案を実施するための形態】
【００１７】
以下、本考案の実施形態について図に基づいて説明する。なお、これによって本考案が限定されるものではない。
【００１８】
図１〜図３を参照する。図１は、本考案の一実施形態に係るベッドに組立てることが可能な椅子・机構造を示す分解斜視図である。図２は、本考案の一実施形態に係るベッドに組立てることが可能な椅子・机構造の机を展開するときの状態の説明図（１）である。図３は、本考案の一実施形態に係るベッドに組立てることが可能な椅子・机構造の机を展開するときの状態の説明図（２）である。
図１〜図３に示すように、本考案の一実施形態に係るベッドに組立てることが可能な椅子・机構造は、少なくともシート１０、机２０及び折畳み可能マットレス３０から構成される。
【００１９】
シート１０は、シート面１１上の後ろ側に設けられた背凭れ１２と、両側に設けられたアームレスト１３と、を有する。シート面１１の前側には、可動自在テーブル板２５の厚さと等しい深さを有する収納槽１４が形成されている。
【００２０】
机２０の、２組の側面ベッド脚部２１間には中間高さに結合された前後２つの横支持梁２１１を含む。横支持梁２１１には、下受板２２が配設されている。図２及び図３に示すように、前後２つの横支持梁２１１の底面には、少なくとも２つの摺動ガイドピン２１２が突設され、可動自在脚部２３の上横フレーム２３１において対応した形状を有するスライド溝２３２に嵌着され、外方へ摺動して引っ張りだされて結合される。
可動自在脚部２３のスライド溝２３２の外端には、可動自在支持杆２３３が枢着されるとともに、外端が折り曲げられて収納槽１４の掛止部２３３Ａに掛止することができる。下受板２２の可動自在脚部２３が摺動する一側は、接続フレーム２４に設けた少なくとも１つのヒンジ２４１に枢着される。接続フレーム２４の上側縁は、少なくとも１つのヒンジ２４１により可動自在テーブル板２５の一側に枢着されている。可動自在テーブル板２５は、可動自在に枢着され、上方へ向けて２組の側面ベッド脚部２１の上端に配設され、卓上面が形成されている。
【００２１】
折畳み可能マットレス３０は、折り畳んで小さくしてシート面１１に敷いて使用したり、展開してベッドに敷いて使用したりすることができる。
【００２２】
上述したように少なめの部品により簡素化された構造を有するシート１０と机２０とは、部品の材料コスト及び組立てにかかる時間を短縮することができるため経済性が高い。
【００２３】
図２〜図５を参照する。図２〜図５に示すように、本考案の一実施形態に係る机２０は、まず、可動自在脚部２３を図２及び図３の矢印方向へ摺動させて引っ張り出し、可動自在脚部２３のスライド溝２３２の外端に枢着した可動自在支持杆２３３を外方へ揺動させ、その外端の掛止部２３３Ａがシート面１１の収納槽１４に掛止され、位置拘束されて外れないように接続される。図４を参照する。
図４に示すように、接続フレーム２４及び可動自在テーブル板２５を下方へ揺動させ、接続フレーム２４及び可動自在テーブル板２５を、可動自在脚部２３と、シート１０のシート面１１の収納槽１４に掛止した可動自在支持杆２３３とに掛け渡し、シート面１１と同じ高さで揃うように組み合わせる。シート１０と連結してベッドを組立て、共同で２人用のダブルベッドを構成する（図５参照）。
【００２４】
図６を参照する。図６は、本考案の一実施形態に係るベッドに組立てることが可能な椅子・机構造が組立てた２人用ダブルベッド上にマットレスを敷いたときの状態を示す斜視図である。図６に示すように、折畳み可能マットレス３０は、展開した構造を前述のベッドに敷き、シート１０と机２０とにより２人用のダブルベッドを構成して多機能を得て、便利に使用できるようにする。
【００２５】
図７を参照する。図７は、本考案の一実施形態に係るベッドに組立てることが可能な椅子・机構造の可動自在ベッド脚部のスライド溝と横支持梁の摺動ガイドピンを示す横断面図（１）である。図７に示すように、本考案の一実施形態に係るベッドに組立てることが可能な椅子・机構造は、可動自在脚部２３の上横フレーム２３１のスライド溝２３２が、横支持梁２１１に設けられた摺動ガイドピン２１２に対応し、逆Ｔ字状の凹凸断面構造が形成されている。
【００２６】
図８を参照する。図８は、本考案の一実施形態に係るベッドに組立てることが可能な椅子・机構造の可動自在ベッド脚部のスライド溝と横支持梁の摺動ガイドピンを示す横断面図（２）である。図８に示すように、横支持梁２１１に設けた摺動ガイドピン２１２の逆Ｔ字状断面構造は、伝動ローラ２１２Ａが両側に枢設され、可動自在脚部２３の上横フレーム２３１のスライド溝２３２内でスムーズに摺動して案内される。
【００２７】
図９を参照する。図９は、本考案の一実施形態に係るベッドに組立てることが可能な椅子・机構造の２人用のダブルベッドの椅子と机が設置された状態を示す斜視図である。
図９に示すように、本考案の一実施形態に係るベッドに組立てることが可能な椅子・机構造は、机２０の可動自在テーブル板２５を枢着し、２組の側面ベッド脚部２１上端に上向きに載置して卓上面を構成し、折畳み可能マットレス３０を折り畳んでシート１０のシート面１１上に載置し、背凭れ１２に貼着して机、椅子など様々な機能を付与して使用する。簡素な構造により机及び椅子をベッドに変化させ、様々な機能を提供し、便利に使用できるようにする。
【００２８】
図１０を参照する。図１０は、本考案の一実施形態に係るベッドに組立てることが可能な椅子・机構造の２人用のダブルベッドの椅子と机とが設置された状態と、１人用のシングルベッドの椅子と机とが設置された状態を示す斜視図である。
図１０に示すように、前述したシート１０及び机２０を実際に設置する際、１人用シングルベッドを組立てることができる小型シート１０’と小型机２０’とを加え、シート１０と小型シート１０’とをＬ字状に配置し、大小２つのシート１０と小型シート１０’との間に机２０及び小型机２０’を配置すると、１つのリビングルームで使用するときの基本構造を形成することができる。
【００２９】
図１１を参照する。図１１は、本考案の一実施形態に係るベッドに組立てることが可能な椅子・机構造の可動自在ベッド脚部を示す斜視図である。図１１に示すように、本考案は、可動自在脚部２３に、伸縮内フレーム２３２’を有する伸縮上横フレーム２３１’が組み合わされ、伸縮内フレーム２３２’の外端に、外方へ引っ張り出す１本の可動自在支持杆２３３’が嵌合され、両側に設けた結合片２３４’により、横支持梁２１１の底側に結合され、可動自在脚部２３の下端には、キャスタ２３５’が取り付けられている。
図１３に示すように、可動自在支持杆２３３’の外端が折り曲げられて掛止部２３３Ａ’が形成され、収納槽１４に掛止して図１２の構造を組立てる。
【００３０】
図１２及び図１４を参照する。図１２は、本考案の一実施形態に係るベッドに組立てることが可能な椅子・机構造の可動自在ベッド脚部の机を展開するときの状態を示す説明図である。図１４は、本考案の一実施形態に係るベッドに組立てることが可能な椅子・机構造の側面のベッド脚部の上端に可動自在机の補助的に固定構造を取り付けたときの状態を示す斜視図である。
図１２及び図１４に示すように、本実施形態の側面ベッド脚部２１の上端には位置規制孔２１３が形成され、位置規制孔２１３には、外壁に２つの調節孔２１４１を有する位置規制スリーブ２１４が嵌合され、外壁に弾性鋼球２１５１を有する位置規制ピン２１５を嵌合させ、昇降自在に結合し、位置規制ピン２１５の弾性鋼球２１５１が上調節孔２１４１に位置すると、側面ベッド脚部２１の上端表面から上端が突出される（図１２右側の側面ベッド脚部を参照する）。
可動自在テーブル板２５には、位置規制ピン２１５に対応した２つの位置規制孔２５１が凹設され、可動自在テーブル板２５が２つの側面ベッド脚部２１に跨って設置されると、凹設された位置規制孔２５１と位置規制ピン２１５とが対応して嵌合され、補助的に固定を行う。
【００３１】
上述したシート１０及び机２０は、鋼管材料からなってもよい。
【００３２】
また上述したシート１０は全て木材からなってもよい。机２０及びその可動自在テーブル板２５は、木材からなり、可動自在テーブル板２５の表面には外皮が結合されている。外皮は、突板、本革、ＰＵ革及びＰＶＣ革からなる群から選択してもよい。
【００３３】
上述したシート１０は、鋼管及び木材の２種類の材料からなってもよい。机２０の２組の側面ベッド脚部２１と、前後２つの横支持梁２１１とが結合されて鋼管により製作されてもよい。可動自在テーブル板２５及び下受板２２は、木材により製作され、可動自在テーブル板２５の表面には外皮が結合されてもよい。外皮は、突板、本革、ＰＵ革及びＰＶＣ革からなる群から選択されてもよい。
【００３４】
また、上述した折畳み可能マットレス３０は、スポンジを含む布面又はスポンジを含む革面からなってもよい。
【００３５】
上述したことから分かるように、本考案のベッドに組立てることが可能な椅子・机構造は、少なめの部品からなる簡素な構造に組立てて、椅子及び机を容易かつ短時間に組み合わせてベッドに変化させて、様々な使用機能を得て、材料コスト及び組立てにかかる時間を減らし経済性に優れている。
【００３６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３７】
１０      シート
１０’    小型シート
１１      シート面    
１２      背凭れ
１３      アームレスト
１４      収納槽
２０      机
２０’    小型机
２１      側面ベッド脚部
２２      下受板
２３      可動自在脚部
２４      接続フレーム
２５      可動自在テーブル板
３０      折畳み可能マットレス
２１１    横支持梁
２１２    摺動ガイドピン
２１２Ａ  伝動ローラ
２１３    位置規制孔
２１４    位置規制スリーブ
２１５    位置規制ピン
２３１    上横フレーム
２３１’  伸縮上横フレーム
２３２    スライド溝
２３２’  伸縮内フレーム
２３３    可動自在支持杆
２３３’  可動自在支持杆
２３３Ａ  掛止部
２３３Ａ’掛止部
２３４’  結合片
２３５’  キャスタ
２４１    ヒンジ
２５１    位置規制孔
２１４１  調節孔
２１５１  弾性鋼球
【図１】
0003193663.tif 000003
【図２】
0003193663.tif 000004
【図３】
0003193663.tif 000005
【図４】
0003193663.tif 000006
【図５】
0003193663.tif 000007
【図６】
0003193663.tif 000008
【図７】
0003193663.tif 000009
【図８】
0003193663.tif 000010
【図９】
0003193663.tif 000011
【図１０】
0003193663.tif 000012
【図１１】
0003193663.tif 000013
【図１２】
0003193663.tif 000014
【図１３】
0003193663.tif 000015
【図１４】
0003193663.tif 000016
【手続補正書】
【提出日】平成26年8月11日(2014.8.11)
【手続補正１】
【補正対象書類名】実用新案登録請求の範囲
【補正対象項目名】全文
【補正方法】変更
【補正の内容】
【実用新案登録請求の範囲】
【請求項１】
シート及び机を備えるベッドに組立てることが可能な椅子・机構造であって、
前記シートは、その上に座ることが可能なシート面を有し、
前記机は、２組の側面ベッド脚部間に設けられた前後２つの横支持梁を含み、前記横支持梁には、下受板が配設され、前記前後２つの横支持梁の底面には、摺動して外側へ引っ張り出すことが可能な少なくとも２つの可動自在脚部が設けられ、前記下受板の前記可動自在脚部が摺動する一側には、接続フレームが枢着され、前記接続フレームの上側縁は、可動自在テーブル板の一側に枢着され、前記可動自在テーブル板が可動自在に枢着され、前記２組の側面ベッド脚部の上端に配設されて卓面が形成され、下方へ揺動させて前記可動自在脚部と前記シートの前記シート面とに掛け渡して連結され、床面が形成されることを特徴とする、
ベッドに組立てることが可能な椅子・机構造。
【請求項２】
前記シートは、前記シート面上の後ろ側に設けられた背凭れと、両側に設けられたアームレストと、を有し、
前記シート面の前側には、前記可動自在テーブル板を挿置して前記シート面と高さが揃うとともに、前記可動自在テーブル板の厚さと等しい深さを有する収納槽が形成されていることを特徴とする請求項１に記載のベッドに組立てることが可能な椅子・机構造。
【請求項３】
前記２組の側面ベッド脚部の前後２つの横支持梁の底面には、少なくとも２つの摺動ガイドピンが突設され、前記可動自在脚部の上横フレームにおいて対応した形状を有するスライド溝に嵌着され、外方へ摺動して引っ張りだされて結合され、
前記可動自在脚部の前記スライド溝の外端には、可動自在支持杆が枢着されるとともに、前記可動自在脚部の外端が折り曲げられて収納槽の掛止部に掛止されることを特徴とする請求項２に記載のベッドに組立てることが可能な椅子・机構造。
【請求項４】
前記可動自在脚部には、伸縮内フレームを有する伸縮上横フレームが組み合わされ、前記伸縮内フレームの外端には、外方へ引っ張り出す１本の可動自在支持杆が嵌合され、両側に設けた結合片により、前記横支持梁の底側に結合され、前記可動自在脚部の下端には、キャスタが取り付けられ、前記可動自在支持杆の外端が折り曲げられて形成された掛止部が、収納槽に掛止されることを特徴とする請求項２に記載のベッドに組立てることが可能な椅子・机構造。
【請求項５】
前記可動自在脚部の前記上横フレームの前記スライド溝は、前記横支持梁に設けられた前記摺動ガイドピンに対応し、逆Ｔ字状の凹凸断面構造が形成され、
前記摺動ガイドピンの逆Ｔ字状断面構造の両側には、伝動ローラが枢設されていることを特徴とする請求項３に記載のベッドに組立てることが可能な椅子・机構造。
【請求項６】
前記側面ベッド脚部は、外壁に２つの調節孔を有する位置規制スリーブが嵌合される位置規制孔を上端に有し、弾性鋼球を有する位置規制ピンが外壁に嵌合され、昇降自在に結合され、前記位置規制ピンの前記弾性鋼球が上調節孔に位置すると、前記側面ベッド脚部の上端表面から上端が突出され、前記可動自在テーブル板には、前記位置規制ピンに対応する２つの位置規制孔が凹設され、前記可動自在テーブル板が前記２組の側面ベッド脚部に跨って設置されると、凹設された前記位置規制孔に前記位置規制ピンが対応して嵌合され、補助的に固定されることを特徴とする請求項１に記載のベッドに組立てることが可能な椅子・机構造。